(57)【要約】  燃料電池１の耐用年数（例えば１０年）と耐用運転時間（例えば４万時間）とに基づいて所定の単位期間（例えば１日）につき、第１の許容運転時間（例えば１１時間）および耐用起動回数（例えば４千回）の少なくとも一方の範囲内で燃料電池１を運転するように基本運転計画を作成する基本運転計画作成部２と、所定の単位期間（例えば１日）につき、第１の許容運転時間より長い第２の許容運転時間（例えば２０時間）および第１の許容起動回数よりも大きい第２の許容起動回数の少なくとも一方の範囲内で燃料電池１を運転するように特別運転計画を作成する特別運転計画作成部３と、基本運転計画と特別運転計画の何れかを選択する運転計画選択部４と、運転計画選択部４で選択された運転計画に基づいて燃料電池１を運転する燃料電池運転部５と、を有する。
2011102147.tif 000002
【特許請求の範囲】
【請求項１】
電気と熱を供給する燃料電池ユニットを備えた燃料電池システムの運転方法であって、
前記燃料電池ユニットの耐用年数と、耐用運転時間および耐用起動回数の少なくともいずれか一方と、に基づいて、所定の単位期間につき、第１の許容運転時間および第１の許容起動回数の少なくとも一方の範囲内で前記燃料電池ユニットを運転するように基本運転計画を作成する基本運転計画作成工程と、
所定の単位期間につき、前記第１の許容運転時間よりも長い第２の許容運転時間および前記第１の許容起動回数よりも大きい第２の許容起動回数の少なくとも一方の範囲内で前記燃料電池ユニットを運転するように特別運転計画を作成する特別運転計画作成工程と、
前記基本運転計画と前記特別運転計画の何れかを選択する運転計画選択工程と、
前記運転計画選択工程で選択された運転計画に基づいて前記燃料電池ユニットを運転する燃料電池運転工程と
を備える燃料電池システムの運転方法。
【請求項２】
前記燃料電池ユニットにより発電した電力を使用する電力利用工程と、
使用する電力の需要を予測する電力需要予測工程と、
発電時に発生する熱を利用して加温した湯を貯めて前記湯を使用する熱利用工程と、
使用する湯の需要を予測する熱需要予測工程と、
前記第２の許容運転時間を、前記電力の需要および前記湯の需要の少なくとも一方に応じて設定する許容運転時間設定工程、又は、前記第２の許容起動回数を、前記電力の需要および前記湯の需要の少なくとも一方に応じて設定する許容起動回数設定工程と、
を備える請求項１記載の燃料電池システムの運転方法。
【請求項３】
前記許容運転時間設定工程は、前記第１の許容運転時間及び前記第２の許容運転時間を、前記電力の需要および前記湯の需要の少なくとも一方に応じて設定する工程である、請求項２記載の燃料電池システムの運転方法。
【請求項４】
前記許容起動回数設定工程は、前記第１の許容起動回数及び前記第２の許容起動回数を、前記電力の需要および前記湯の需要の少なくとも一方に応じて設定する工程である、請求項２記載の燃料電池システムの運転方法。
【請求項５】
電気と熱を供給する燃料電池ユニットを備えた燃料電池システムであって、
前記燃料電池ユニットの耐用年数と、耐用運転時間および耐用起動回数の少なくとも一方と、に基づいて、所定の単位期間につき、第１の許容運転時間および第１の許容起動回数の少なくとも一方の範囲内で前記燃料電池ユニットを運転するように基本運転計画を作成する基本運転計画作成部と、
所定の単位期間につき、前記第１の許容運転時間より長い第２の許容運転時間および前記第１の許容起動回数より大きい第２の許容起動回数の少なくとも一方の範囲内で前記燃料電池ユニットを運転するように特別運転計画を作成する特別運転計画作成部と、
前記基本運転計画と前記特別運転計画の何れかを選択する運転計画選択部と、
前記運転計画選択部で選択された運転計画に基づいて前記燃料電池ユニットを運転する燃料電池運転部と、
を有する燃料電池システム。
【請求項６】
前記燃料電池ユニットにより発電した電力を使用でき、かつ、発電時に発生する熱を利用して加温した湯を貯めて前記湯を使用できる燃料電池システムであり、
使用する電力の需要を予測する電力需要予測部と、
使用する湯の需要を予測する熱需要予測部と、
前記第２の許容運転時間を、前記電力の需要および前記湯の需要の少なくとも一方に応じて設定する許容運転時間設定部、又は、前記第２の許容起動回数を、前記電力の需要および前記湯の需要の少なくとも一方に応じて設定する許容起動回数設定部と、
を有する請求項５記載の燃料電池システム。
【請求項７】
前記許容運転時間設定部は、前記第１の許容運転時間及び前記第２の許容運転時間を、前記電力の需要と前記湯の需要の少なくとも一方に応じて設定する、請求項６記載の燃料電池システム。
【請求項８】
前記許容起動回数設定部は、前記第１の許容起動回数及び前記第２の許容起動回数を、前記電力の需要と前記湯の需要の少なくとも一方に応じて設定する、請求項６記載の燃料電池システム。
【請求項９】
前記運転計画選択部を、前記燃料電池ユニットと通信可能に構成されたリモコンに備えた請求項５から８のいずれか１項に記載の燃料電池システム。
【請求項１０】
前記運転計画選択部を、燃料電池ユニットの本体設定部に備えた請求項５から８のいずれか１項に記載の燃料電池システム。
【発明の詳細な説明】
【技術分野】
【０００１】
本発明は、水素と酸素との電気化学的反応により発電し、電気と熱を供給する燃料電池を備え、予め設定された耐用年数と機器寿命条件を考慮して作成した運転計画に基づいて燃料電池を運転する燃料電池の運転方法と燃料電池システムに関するものである。
【背景技術】
【０００２】
近年高まりを見せている地球温暖化防止ならびにＣＯ２排出量抑制といった社会情勢を背景として、家庭で消費される電力と熱を、都市ガス等の一次エネルギーから効率よく取り出すことができる機器として、家庭用燃料電池コージェネレーションシステムの開発が行われている。こうしたシステムは、例えば、各家庭に設置される設備商品として所定の耐用年数（一般に１０年は必要）を有する必要がある。【０００３】
ところで、上記システムに用いられる燃料電池セルスタックには、発電時間に比例した劣化特性があり、現在の技術では４〜５万時間で寿命となる。一方でシステムを家庭等に設置したときの発電時間は、エネルギー削減を優先させた場合に１０年で６〜８万時間程度になると推定されるため、目標とする耐用年数１０年を達成することができない。【０００４】
また同様に、上記システムは、都市ガスなど既存のインフラで供給される燃料ガスから水素を作り出す燃料改質機を有するが、高温加熱部分があるため、所定の起動回数を繰り返すと疲労破壊する可能性が高まる。【０００５】
現在の技術では４〜５千回起動を繰り返すと寿命となるが、一方でシステムを家庭に設置したときの起動回数は、１日１回としても１０年で３６５０回であり、１日２回以上起動が行われる場合を想定すると１０年は持たない可能性がある。これらの二律背反を解決することが実用化にあたっての大きな課題となっていた。【０００６】
本課題を解決するため、単位期間あたりの発電時間および起動回数を制限し、機器として１０年の耐用年数を実現するよう制御する技術が、例えば、特許文献１に開示されている。【０００７】
また、省エネルギー性等を考慮した燃料電池システムやその運転方法が、例えば、特許文献２に開示されている。
【先行技術文献】
【特許文献】
【０００８】
【特許文献１】特開２００７−３２３８４３号公報
【特許文献２】特開２００７−２８０６５０号公報
【発明の概要】
【発明が解決しようとする課題】
【０００９】
しかしながら、特許文献１等に開示された従来の技術は、発電時間と起動回数がそれぞれ制限されるため、ユーザーの期待する動作と異なる場合に大きなストレスとなる可能性があった。【００１０】
例えば、システムの寿命を発電時間４万時間（耐用運転時間）、起動回数を４０００回（耐用起動回数）とする。この場合、１日あたりの発電時間は約１１時間、起動回数は約１．１回となる。早朝から発電を開始した場合は、その日の夕方までに発電を終えてしまう可能性があり、それ以降にユーザーが発電指示をしても受け付けられないことになってしまう。【００１１】
本発明は、このような従来技術の課題を解決するためになされたもので、ユーザーの要望に応じて制限の緩和を選択できるようにすることを目的とする。
【課題を解決するための手段】
【００１２】
上記目的を達成するため、本発明は、所定の耐用年数に亘り、運転時間が耐用運転時間に達することなくかつ起動回数が耐用起動回数に達することなく燃料電池を運転できるように所定の単位期間あたりの運転時間や起動回数に所定の制限を設けた基本運転計画の他に、運転時間や起動回数についての所定の制限を緩和した特別運転計画も作成して、どちらか選択された運転計画に基づいて燃料電池を運転するようにしたのである。【００１３】
これにより、例えば、業務用のシステムなど、通常より運転可能な年数が短くなることが許容される場合や、運転可能な年数が長くなることよりも一日中発電していることをユーザーが優先する場合等には、所定の耐用年数に亘る使用ができなくなると言う説明への合意を前提として、特別運転計画を適用することが可能となり、例えば、ユーザーが運転可能な年数が短くなるのを承知の上で制限の緩和を希望するのであれば、制限の緩和を選択できる。
【発明の効果】
【００１４】
本発明によれば、所定の耐用年数に亘って燃料電池を運転できるように所定の単位期間あたりの運転時間や起動回数に所定の制限を設けた基本運転計画の他に、運転時間や起動回数についての所定の制限を緩和した特別運転計画も作成して、どちらか選択された運転計画に基づいて燃料電池を運転するようにしたので、例えば、業務用のシステムなど、通常より運転可能な年数が短くなることが許容される場合や、運転可能な年数が長くなることよりも一日中発電していることをユーザーが優先する場合等には、所定の耐用年数に亘る使用ができなくなると言う説明への合意を前提として、特別運転計画を適用することが可能となり、例えば、ユーザーが運転可能な年数が短くなるのを承知の上で制限の緩和を希望するのであれば、制限の緩和を選択できる。【００１５】
そのため、ユーザーが従来の基本運転計画に基づいた燃料電池の運転では発電時間が短く不満であり、運転可能な年数は短くても構わないのでもっと発電機会を増やしたいと言うニーズに応えることが出来る。【００１６】
また、運転可能な年数は短くても構わないので、いつでも受け付けてほしいと言うユーザーには、その日の発電が終了した後も発電指示の受付が可能なシステムを提供することが出来る。
【図面の簡単な説明】
【００１７】
【図１】図１は、本発明の実施の形態１における燃料電池システムの概略構成の一例を示すブロック図である。
【図２】図２は、本発明の実施の形態１における燃料電池システムにおける燃料電池の運転方法の一例を示す工程図である。
【図３】図３は、本発明の実施の形態２における燃料電池システムの概略構成の一例を示すブロック図である。
【図４】図４は、本発明の実施の形態２における燃料電池システムにおける燃料電池の運転方法の一例を示す工程図である。
【図５】図５は、本発明の実施の形態３における燃料電池システムの概略構成の一例を示す構成図である。
【図６】図６は、本発明の実施の形態４における燃料電池システムの概略構成の一例を示す構成図である。
【発明を実施するための形態】
【００１８】
第１の発明は、電気と熱を供給する燃料電池ユニットを備えた燃料電池システムの運転方法であって、燃料電池ユニットの耐用年数と、耐用運転時間および耐用起動回数の少なくともいずれか一方と、に基づいて、所定の単位期間につき、第１の許容運転時間および第１の許容起動回数の少なくとも一方の範囲内で燃料電池ユニットを運転するように基本運転計画を作成する基本運転計画作成工程と、所定の単位期間につき、第１の許容運転時間よりも長い第２の許容運転時間および第１の許容起動回数よりも大きい第２の許容起動回数の少なくとも一方の範囲内で燃料電池ユニットを運転するように特別運転計画を作成する特別運転計画作成工程と、基本運転計画と特別運転計画の何れかを選択する運転計画選択工程と、運転計画選択工程で選択された運転計画に基づいて燃料電池ユニットを運転する燃料電池運転工程とを備える燃料電池システムの運転方法である。
【００１９】
上記構成の燃料電池の運転方法では、例えば設置者（サービスマン）が運転計画選択工程で基本運転計画を選択すれば、燃料電池運転工程で基本運転計画に基づいて燃料電池が運転され、所定の耐用年数を経過するまでに機器寿命に達する（「機器寿命に達する」とは、運転時間が耐用運転時間に達する、あるいは、起動回数が耐用起動回数に達する、のいずれか一方が満たされることを言う、以下同様）のをユーザーが承知の上で設置者（サービスマン）が運転計画選択工程で特別運転計画を選択すれば、燃料電池運転工程で特別運転計画に基づいて燃料電池が運転される。
【００２０】
そのため、基本運転計画に基づいた燃料電池の運転に対して、発電時間が短くユーザーが不満に感じたとき、耐用年数が経過する前に機器寿命に達することをユーザーが理解した上でより長い許容運転時間を有する特別運転計画に基づいた燃料電池の運転を選択する余地があるので、よりユーザーの選択範囲が広がりストレスを感じることがない。
【００２１】
第２の発明は、特に、第１の発明において、燃料電池ユニットにより発電した電力を使用する電力利用工程と、使用する電力の需要を予測する電力需要予測工程と、発電時に発生する熱を利用して加温した湯を貯めて湯を使用する熱利用工程と、使用する湯の需要を予測する熱需要予測工程と、第２の許容運転時間を、電力の需要および湯の需要の少なくとも一方に応じて設定する許容運転時間設定工程、又は、第２の許容起動回数を、電力の需要および湯の需要の少なくとも一方に応じて設定する許容起動回数設定工程と、を備える燃料電池の運転方法である。
【００２２】
上記構成の燃料電池の運転方法では、第１の許容運転時間または第２の許容運転時間のうち選択された何れかを所定の単位期間あたりの最長運転時間とし、あるいは、第１の許容起動回数または第２の許容起動回数のうち選択された何れかを所定の単位期間あたりの最大起動回数とし、基本運転計画と特別運転計画のうち少なくとも特別運転計画に基づいた燃料電池の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【００２３】
第３の発明は、特に、第２の発明の許容運転時間設定工程を、第１の許容運転時間及び第２の許容運転時間を電力の需要および湯の需要の少なくとも一方に応じて設定する工程としたものである。
【００２４】
第４の発明は、特に、第２の発明の許容起動回数設定工程は、第１の許容起動回数及び第２の許容起動回数を電力の需要および湯の需要の少なくとも一方に応じて設定する工程としたものである。
【００２５】
第５の発明は、電気と熱を供給する燃料電池ユニットを備えた燃料電池システムであって、燃料電池ユニットの耐用年数と、耐用運転時間および耐用起動回数の少なくとも一方と、に基づいて、所定の単位期間につき、第１の許容運転時間および第１の許容起動回数の少なくとも一方の範囲内で燃料電池ユニットを運転するように基本運転計画を作成する基本運転計画作成部と、所定の単位期間につき、第１の許容運転時間より長い第２の許容運転時間および第１の許容起動回数よりも大きい第２の許容起動回数の少なくとも一方の範囲内で燃料電池ユニットを運転するように特別運転計画を作成する特別運転計画作成部と、基本運転計画と特別運転計画の何れかを選択する運転計画選択部と、運転計画選択部で選択された運転計画に基づいて燃料電池ユニットを運転する燃料電池運転部と、を有する燃料電池システムである。
【００２６】
上記構成の燃料電池システムでは、例えば設置者（サービスマン）が運転計画選択部により基本運転計画を選択すれば、燃料電池運転部により基本運転計画に基づいて燃料電池が運転され、所定の耐用年数を経過するまでに機器寿命に達するのをユーザーが承知の上で設置者（サービスマン）が運転計画選択部により特別運転計画を選択すれば、燃料電池運転部により特別運転計画に基づいて燃料電池が運転される。
【００２７】
そのため、基本運転計画に基づいた燃料電池の運転に対して、発電時間が短くユーザーが不満に感じたとき、耐用年数が経過する前に機器寿命に達することをユーザー理解した上でより長い許容運転時間を有する特別運転計画に基づいた燃料電池の運転を選択する余地があるので、よりユーザーの選択範囲が広がりストレスを感じることがない。
【００２８】
第６の発明は、特に、第５の発明において、燃料電池ユニットにより発電した電力を使用でき、かつ、発電時に発生する熱を利用して加温した湯を貯めて湯を使用できるシステムであり、使用する電力の需要を予測する電力需要予測部と、使用する湯の需要を予測する熱需要予測部と、第２の許容運転時間を、電力の需要および湯の需要の少なくとも一方に応じて設定する許容運転時間設定部、又は、第２の許容起動回数を、電力の需要および湯の需要の少なくとも一方に応じて設定する許容起動回数設定部と、を有する燃料電池システムである。
【００２９】
上記構成の燃料電池システムでは、第１の許容運転時間または第２の許容運転時間のうち選択された何れかを所定の単位期間あたりの最長運転時間とし、あるいは、第１の許容起動回数または第２の許容起動回数のうち選択された何れかを所定の単位期間あたりの最大起動回数とし、基本運転計画と特別運転計画のうち少なくとも特別運転計画に基づいた燃料電池の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【００３０】
第７の発明は、特に、第６の発明において、許容運転時間設定部が、第１の許容運転時間及び第２の許容運転時間を、電力の需要と湯の需要の少なくとも一方に応じて設定するものである。
【００３１】
第８の発明は、特に、第６の発明において、許容起動回数設定部は、第１の許容起動回数及び第２の許容起動回数を、電力の需要と湯の需要の少なくとも一方に応じて設定するものである。
【００３２】
第９の発明は、特に、第５から第８の発明において、運転計画選択部を、燃料電池ユニットと通信可能に構成されたリモコンに備えた燃料電池システムである。
【００３３】
これにより、屋内に設置するリモコンで、基本運転計画に基づいた燃料電池の運転を特別運転計画に基づいた燃料電池の運転に変更でき、また、その逆も可能である。
【００３４】
なお、運転計画選択部による選択は、リモコンを用いてユーザーが通常操作で選択できるようにはせず、設置者のみが特殊操作により選択できるようにすることが望ましい。そのようにすることにより、ユーザーが、機器寿命が短くなる（「機器寿命が短くなる」とは、運転時間が耐用運転時間に予定より早く達すること、あるいは、起動回数が耐用起動回数に予定より早く達することを言う、以下同様）ことを理解していない状態で特別運転計画に基づいた燃料電池の運転に変更してしまうことを防止できる。ユーザーが、基本運転計画に基づいた燃料電池の運転に対して所定の単位期間（例えば１日、１週間、１ヶ月等）あたりの燃料電池の運転時間または所定の単位期間（例えば１日、１週間、１ヶ月等）あたりの燃料電池の起動回数に不満を感じたときに、設置者がユーザーに、運転時間や起動回数の制限を緩和することは技術的に可能であるが制限を緩和すれば耐用年数が経過する前に機器寿命に達することを説明し、ユーザーがそれを承知（納得）した上で、設置者がリモコンの運転計画選択部により特別運転計画に基づいた燃料電池の運転に変更することも可能になる。これにより、予定より早く機器寿命に達してシステムの運転が停止した場合のユーザーの不満やトラブルの発生を防止できる。
【００３５】
第１０の発明は、特に、第５から第８の発明において、前記運転計画選択部を、燃料電池本体の本体設定部に備えた燃料電池システムである。
【００３６】
これにより、通常、屋外に設置され、ユーザーが操作する可能性が極めて少ない燃料電池本体の本体設定部で、基本運転計画に基づいた燃料電池の運転を特別運転計画に基づいた燃料電池の運転に変更でき、また、その逆も可能である。
【００３７】
また、運転計画選択部を、燃料電池本体の本体設定部に備えたので、ユーザーが、運転計画選択部を操作する可能性が極めて少なくなる。ユーザーが、基本運転計画に基づいた燃料電池の運転に対して所定の単位期間（例えば１日、１週間、１ヶ月等）あたりの燃料電池の運転時間または所定の単位期間（例えば１日、１週間、１ヶ月等）あたりの燃料電池の起動回数に不満を感じたときに、設置者がユーザーに、運転時間や起動回数の制限を緩和することは技術的に可能であるが制限を緩和すれば耐用年数が経過する前に機器寿命に達することを説明し、ユーザーがそれを承知（納得）した上で、設置者が燃料電池本体の本体設定部の運転計画選択部により特別運転計画に基づいた燃料電池の運転に変更することも可能になる。これにより、予定より早く機器寿命に達してシステムの運転が停止した場合のユーザーの不満やトラブルの発生を防止できる。
【００３８】
さらに別の発明は、電気と熱を供給する燃料電池ユニットを備えた燃料電池システムの運転方法であって、燃料電池ユニットの耐用年数と、耐用運転時間と、に基づいて、所定の単位期間につき、第１の許容運転時間の範囲内で燃料電池ユニットを運転するように基本運転計画を作成する基本運転計画作成工程と、所定の単位期間につき、第１の許容運転時間よりも長い第２の許容運転時間の範囲内で燃料電池ユニットを運転するように特別運転計画を作成する特別運転計画作成工程と、基本運転計画と特別運転計画の何れかを選択する運転計画選択工程と、運転計画選択工程で選択された運転計画に基づいて燃料電池ユニットを運転する燃料電池運転工程とを備える燃料電池システムの運転方法である。
【００３９】
さらに別の発明は、電気と熱を供給する燃料電池ユニットを備えた燃料電池システムの運転方法であって、燃料電池ユニットの耐用年数と、耐用起動回数と、に基づいて、所定の単位期間につき、第１の許容起動回数の範囲内で燃料電池ユニットを運転するように基本運転計画を作成する基本運転計画作成工程と、所定の単位期間につき、第１の許容起動回数よりも大きい第２の許容起動回数の範囲内で燃料電池ユニットを運転するように特別運転計画を作成する特別運転計画作成工程と、基本運転計画と特別運転計画の何れかを選択する運転計画選択工程と、運転計画選択工程で選択された運転計画に基づいて燃料電池ユニットを運転する燃料電池運転工程とを備える燃料電池システムの運転方法である。
【００４０】
さらに別の発明は、電気と熱を供給する燃料電池ユニットを備えた燃料電池システムであって、燃料電池ユニットの耐用年数と、耐用運転時間と、に基づいて、所定の単位期間につき、第１の許容運転時間の範囲内で燃料電池ユニットを運転するように基本運転計画を作成する基本運転計画作成部と、所定の単位期間につき、第１の許容運転時間より長い第２の許容運転時間の範囲内で燃料電池ユニットを運転するように特別運転計画を作成する特別運転計画作成部と、基本運転計画と特別運転計画の何れかを選択する運転計画選択部と、運転計画選択部で選択された運転計画に基づいて燃料電池ユニットを運転する燃料電池運転部と、を有する燃料電池システムである。
【００４１】
さらに別の発明は、電気と熱を供給する燃料電池ユニットを備えた燃料電池システムであって、燃料電池ユニットの耐用年数と、耐用起動回数と、に基づいて、所定の単位期間につき、第１の許容起動回数の範囲内で燃料電池ユニットを運転するように基本運転計画を作成する基本運転計画作成部と、所定の単位期間につき、第１の許容起動回数より大きい第２の許容起動回数の範囲内で燃料電池ユニットを運転するように特別運転計画を作成する特別運転計画作成部と、基本運転計画と特別運転計画の何れかを選択する運転計画選択部と、運転計画選択部で選択された運転計画に基づいて燃料電池ユニットを運転する燃料電池運転部と、を有する燃料電池システムである。
【００４２】
以下、本発明の燃料電池システムと、その運転方法の実施の形態について、図面を参照しながら説明する。なお、この実施の形態によって、本発明が限定されるものではない。また、先に説明した実施の形態と同一構成については、同一符号を付して、その詳細な説明は省略する。
【００４３】
（実施の形態１）
図１は、本発明の実施の形態１における燃料電池システムのブロック図である。
【００４４】
本発明の燃料電池システムと、本発明の燃料電池の運転方法を適用する燃料電池システムは、水素と酸素との電気化学的反応により発電する燃料電池を備え、燃料電池により発電した電力を家庭（家庭以外の、燃料電池により発電した電力を消費する消費者あるいは需要者を含む、以下同様）で使用できる形態に変換して家庭で使用できると共に、発電時に発生する熱を利用して加温した湯を貯めて、その湯を使用でき、予め設定された条件（例えば運転時間が耐用運転時間である４万時間に達するか、起動回数が耐用起動回数である４０００回に達するか、機器使用年数が耐用年数である１０年に達するかのいずれか）を満たした場合に停止するものである。
【００４５】
「運転時間」とは、実際に燃料電池が発電している時間であり、例えば１日に５時間だけ発電すれば、その日の運転時間は５時間となる。
【００４６】
「起動回数」とは、燃料電池システムの起動動作を行った回数である。
【００４７】
「機器使用年数」とは、燃料電池が使用開始されてからの経過年数であり、燃料電池を全く運転しなかったとしても、機器使用年数は増加していく。
【００４８】
「耐用運転時間」とは、設計上の、燃料電池システムの運転可能時間であって、使用開始からの累積運転時間として計算される。
【００４９】
「耐用年数」とは、設計上、燃料電池システムの運転が可能な年数であって、使用開始からの経過年数として計算される。
【００５０】
「耐用起動回数」とは、設計上、燃料電池システムの起動が可能な回数であって、使用開始からの累積起動回数として計算される。
【００５１】
本実施の形態の燃料電池システムは、図１に示すように、水素と酸素との電気化学的反応により発電し、電気と熱を供給する燃料電池１（燃料電池ユニット）と、燃料電池１の耐用年数（例えば１０年）と耐用運転時間（例えば４万時間）とに基づいて所定の単位期間（例えば１日）あたり第１の許容運転時間（例えば１１時間）の範囲内で燃料電池１を運転するように基本運転計画を作成する基本運転計画作成部２と、耐用年数（例えば１０年）を経過するまでに機器寿命に達するのを承知の上で所定の単位期間（例えば１日）あたり第１の許容運転時間より長い第２の許容運転時間（例えば２０時間）の範囲内で燃料電池１を運転するように特別運転計画を作成する特別運転計画作成部３と、基本運転計画と特別運転計画の何れかを選択する運転計画選択部４と、運転計画選択部４で選択された運転計画に基づいて燃料電池１を運転する燃料電池運転部５と、家庭で使用する電力の需要を予測する電力需要予測部６と、家庭で使用する湯の需要（湯の熱需要をいう、以下同様）を予測する熱需要予測部７と、第１の許容運転時間と第２の許容運転時間の両方を、電力需要予測部６で予測された電力需要と熱需要予測部７で予測された湯の需要の両方の需要値に応じて設定する許容運転時間設定部８とを有する。
【００５２】
なお、単位期間を１日としたのはあくまで例示であり、他の期間であってもよい。例えば、単位期間は１週間であってもよいし、１ヶ月であってもよい（以下、変形例や他の実施形態においても同様）。
【００５３】
基本運転計画作成部２と、特別運転計画作成部３と、運転計画選択部４と、燃料電池運転部５と、電力需要予測部６と、熱需要予測部７と、許容運転時間設定部８とは、例えば、単一または複数の制御装置により実現されうる。制御装置は、例えば、マイクロコントローラ、ＭＰＵ，ＰＬＣ（Programmable Logic Controller）、論理回路等で構成することができ、あるいはこれらの装置に、ＲＡＭやＲＯＭなどの記憶装置が付加されてもよい。制御装置は、集中制御する単独の制御器によって構成されていてもよく、互いに協働して分散制御する複数の制御器によって構成されていてもよい。例えば、基本運転計画作成部２と、特別運転計画作成部３と、運転計画選択部４と、燃料電池運転部５と、電力需要予測部６と、熱需要予測部７と、許容運転時間設定部８とが、全体として１個の制御器によって構成されていてもよいし、個々の部に対応するように１個ずつ制御器が設けられていてもよいし、各部の任意の組合せについて単独のまたは複数の制御器が設けられていてもよい。
【００５４】
図２は、本発明の実施の形態１における燃料電池システムにおける燃料電池の運転方法を示す工程図である。
【００５５】
図２に示すように、本実施の形態の燃料電池システムの燃料電池の運転方法は、水素と酸素との電気化学的反応により発電し、電気と熱を供給する燃料電池１（燃料電池ユニット）の耐用年数（例えば１０年）と耐用運転時間（例えば４万時間）とに基づいて所定の単位期間（例えば１日）あたり第１の許容運転時間（例えば１１時間）の範囲内で燃料電池１を運転するように基本運転計画を作成する基本運転計画作成工程と、耐用年数（例えば１０年）を経過するまでに機器寿命に達するのを承知の上で所定の単位期間（例えば１日）あたり第１の許容運転時間よりも長い第２の許容運転時間（例えば２０時間）の範囲内で燃料電池１を運転するように特別運転計画を作成する特別運転計画作成工程と、基本運転計画と特別運転計画の何れかを選択する運転計画選択工程と、運転計画選択工程で選択された運転計画に基づいて燃料電池１を運転する燃料電池運転工程と、燃料電池１により発電した電力を家庭で使用できる形態に変換して家庭で使用する発電電力利用工程（図示せず）と、家庭で使用する電力の需要を予測する電力需要予測工程と、発電時に発生する熱を利用して加温した湯を貯めて、その湯を使用する熱回収利用工程（図示せず）と、家庭で使用する湯の需要を予測する熱需要予測工程と、第１の許容運転時間と第２の許容運転時間の両方を、電力需要予測工程で予測された電力需要と熱需要予測工程で予測された湯の需要に応じて設定する許容運転時間設定工程とを備える。
【００５６】
例えば、燃料電池１の耐用運転時間を４万時間、耐用起動回数を４０００回、また一般に設備機器として必要な耐用年数を１０年としたとき、１日あたりに許される許容運転時間は平均で１１時間、起動回数１回という事になる。
【００５７】
基本運転計画作成部２は、この１１時間を上限として、その日家庭で使われる電力および熱の負荷パターン（電力の需要および湯の需要）を予測し、最もエネルギーメリット（energy merit）の得られる運転時間を決定する。かかる基本運転計画の作成方法は、公知の方法（例えば、上記の特許文献１あるいは特許文献２に記載の方法）を用いることができるので、詳細な記載を省略する。
【００５８】
所で一般に家庭で電力負荷が大きいのは家事を開始する朝から午前中にかけてと夕方から夜にかけてと言われている。仮に午前６時から運転を開始したとして、許容運転時間が１１時間だとすれば、運転を終了するのは午後５時になる（起動回数が１日１回なので、途中で停止させる事が出来ない）。
【００５９】
この様に夕方から夜にかけての電力負荷ピーク時に運転ができないと、たとえ耐用年数１０年を実現する為とはいえ多くの電力を使っているときに発電が出来ないこととなり、使用者が機器に対して大いに不満やストレスを感じる可能性がある。
【００６０】
そこで、本実施の形態の燃料電池システムでは、１日あたりの許容運転時間を大幅に緩和、例えば２０時間とし、この２０時間を上限としてその日家庭で使われる電力および熱の負荷パターンを予測し、最もエネルギーメリットの得られる運転時間を決定する特別運転計画作成部３を設けた。かかる特別運転計画の作成方法は、具体的には例えば、許容運転時間を２０時間とした場合の基本運転計画の作成方法と同様とすることができる。よって、詳細な説明を省略する。
【００６１】
但し、特別運転計画作成部３により作成された１日あたり２０時間の範囲内で燃料電池１を運転する特別運転計画に基づいた燃料電池１の運転を常時使用すると、１日あたりの運転時間が最大で２０時間となることから機器寿命が大幅に短くなってしまう。
【００６２】
そして機器の基本仕様を、基本運転計画作成部２により作成された１日あたり１１時間の範囲内で燃料電池１を運転する基本運転計画に基づいた燃料電池１の運転を選択するものとし、お客様からの求めに応じて設置者が、機器寿命が短くなることへの了承を得た上で、特別運転計画に基づいた燃料電池１の運転を選択する設定とする。具体的には、例えばタッチパネルの表示部などに、「特別運転計画に基づいた運転を行うと機器寿命が短くなる」旨の表示をすることが考えられる。この場合、たとえ機器寿命が短くなるとしても特別運転計画に基づく運転を選択するか否かを選択するボタン（例えば、「選択する」および「選択しない」）を表示を表示し、ユーザがいずれか一方のボタンを押すことで、特別運転計画に基づく運転を行うか否かが決定されてもよい。機器寿命が短くなることへの了承を得ることは、必須ではなく、かかる了承を得ずに特別運転計画の選択が可能な構成としてもよい。
【００６３】
基本運転計画と特別運転計画とは、それぞれ例えば、１個の起動時刻と１個の停止時刻とで構成され、あるいは２個の起動時刻と２個の停止時刻とで構成される。燃料電池運転工程では、起動時刻において燃料電池１を起動し、停止時刻において燃料電池１の運転を停止する。
【００６４】
以上のように本実施の形態の燃料電池システムは、水素と酸素との電気化学的反応により発電し、電気と熱を供給する燃料電池１を備え、予め設定された条件（例えば耐用運転時間が４万時間に達するか、耐用起動回数が４０００回に達するか、機器使用年数が１０年に達するかのいずれか）を満たした場合に停止する燃料電池システムであって、燃料電池１の耐用年数（例えば１０年）と耐用運転時間（例えば４万時間）に基づいて所定の単位期間（例えば１日）あたり第１の許容運転時間（例えば１１時間）の範囲内で燃料電池１を運転するように基本運転計画を作成する基本運転計画作成部２と、耐用年数（例えば１０年）を経過するまでに機器寿命に達するのを承知の上で所定の単位期間（例えば１日）あたり第１の許容運転時間より長い第２の許容運転時間（例えば２０時間）の範囲内で燃料電池１を運転するように特別運転計画を作成する特別運転計画作成部３と、基本運転計画と特別運転計画の何れかを選択する運転計画選択部４と、運転計画選択部４で選択された運転計画に基づいて燃料電池１を運転する燃料電池運転部５とを有する燃料電池システムである。
【００６５】
上記構成の燃料電池システムでは、基本運転計画作成部２により燃料電池１の耐用年数（例えば１０年）と耐用運転時間（例えば４万時間）に基づいて所定の単位期間（例えば１日）あたり第１の許容運転時間（例えば１１時間）の範囲内で燃料電池１を運転するように基本運転計画が作成され、特別運転計画作成部３により所定の単位期間（例えば１日）あたり第１の許容運転時間（例えば１１時間）よりも長い第２の許容運転時間（例えば２０時間）の範囲内で燃料電池１を運転するように特別運転計画が作成され、例えば設置者（サービスマン）が運転計画選択部４により基本運転計画を選択すれば、燃料電池運転部５により基本運転計画に基づいて燃料電池１が運転され、耐用年数（例えば１０年）を経過するまでに機器寿命に達するのをユーザーが承知の上で設置者（サービスマン）が運転計画選択部４により特別運転計画を選択すれば、燃料電池運転部５により特別運転計画に基づいて燃料電池１が運転される。
【００６６】
そのため、基本運転計画に基づいた燃料電池１の運転に対して、発電時間が短くユーザーが不満に感じたとき、耐用年数（例えば１０年）が経過する前に機器寿命に達することをユーザーが理解した上でより長い許容運転時間を有する特別運転計画に基づいた燃料電池１の運転を選択する余地があるので、よりユーザーの選択範囲が広がりストレスを感じることがない。
【００６７】
また、本実施の形態の燃料電池システムは、燃料電池１により発電した電力を家庭で使用できる形態に変換して家庭で使用できると共に、発電時に発生する熱を利用して加温した湯を貯めて、その湯を使用できるものであり、家庭で使用する電力の需要を予測する電力需要予測部６と、家庭で使用する湯の需要を予測する熱需要予測部７と、第１の許容運転時間と第２の許容運転時間のうち少なくとも第２の許容運転時間（本実施の形態では、第１の許容運転時間と第２の許容運転時間の両方）を、電力需要予測部６で予測された電力需要と熱需要予測部７で予測された湯の需要の少なくとも一方（本実施の形態では、電力需要と熱需要の両方）の需要値に応じて設定する許容運転時間設定部８とを有する燃料電池システムである。
【００６８】
上記構成の燃料電池システムでは、電力需要予測部６が予測した電力需要と熱需要予測部７が予測した湯の需要の少なくとも一方（本実施の形態では、電力需要と熱需要の両方）の需要値に応じて、許容運転時間設定部８が、第１の許容運転時間と第２の許容運転時間のうち少なくとも第２の許容運転時間（本実施の形態では、第１の許容運転時間と第２の許容運転時間の両方）を設定する。
【００６９】
これにより、第１の許容運転時間または第２の許容運転時間のうち選択された何れかを所定の単位期間（例えば１日）あたりの最長運転時間とし、基本運転計画と特別運転計画のうち少なくとも特別運転計画に基づいた燃料電池１の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【００７０】
以上のように本実施の形態の燃料電池システムにおける燃料電池の運転方法は、水素と酸素との電気化学的反応により発電し、電気と熱を供給燃料電池１の耐用年数（例えば１０年）と耐用運転時間（例えば４万時間）に基づいて所定の単位期間（例えば１日）あたり第１の許容運転時間（例えば１１時間）の範囲内で燃料電池１を運転するように基本運転計画を作成する基本運転計画作成工程と、耐用年数（例えば１０年）を経過するまでに機器寿命に達するのを承知の上で所定の単位期間（例えば１日）あたり第１の許容運転時間よりも長い第２の許容運転時間（例えば２０時間）の範囲内で燃料電池１を運転するように特別運転計画を作成する特別運転計画作成工程と、基本運転計画と特別運転計画の何れかを選択する運転計画選択工程と、運転計画選択工程で選択された運転計画に基づいて燃料電池１を運転する燃料電池運転工程とを備える燃料電池の運転方法である。
【００７１】
上記構成の燃料電池１の運転方法では、基本運転計画作成工程において燃料電池１の耐用年数（例えば１０年）と耐用運転時間（例えば４万時間）に基づいて所定の単位期間（例えば１日）あたり第１の許容運転時間（例えば１１時間）の範囲内で燃料電池１を運転するように基本運転計画が作成され、特別運転計画作成工程において所定の単位期間（例えば１日）あたり第１の許容運転時間よりも長い第２の許容運転時間（例えば２０時間）の範囲内で燃料電池１を運転するように特別運転計画が作成され、例えば設置者（サービスマン）が運転計画選択工程で基本運転計画を選択すれば、燃料電池運転工程で基本運転計画に基づいて燃料電池１が運転され、耐用年数（例えば１０年）を経過するまでに機器寿命に達するのをユーザーが承知の上で設置者（サービスマン）が運転計画選択工程で特別運転計画を選択すれば、燃料電池運転工程で特別運転計画に基づいて燃料電池１が運転される。
【００７２】
そのため、基本運転計画に基づいた燃料電池の運転に対して、発電時間が短くユーザーが不満に感じたとき、耐用年数（例えば１０年）が経過する前に機器寿命に達することをユーザーが理解した上でより長い許容運転時間を有する特別運転計画に基づいた燃料電池１の運転を選択する余地があるので、よりユーザーの選択範囲が広がりストレスを感じることがない。
【００７３】
また、本実施の形態の燃料電池システムにおける燃料電池の運転方法は、燃料電池１により発電した電力を家庭で使用できる形態に変換して家庭で使用する発電電力利用工程と、家庭で使用する電力の需要を予測する電力需要予測工程と、発電時に発生する熱を利用して加温した湯を貯めて、その湯を使用する熱回収利用工程と、家庭で使用する湯の需要を予測する熱需要予測工程と、第１の許容運転時間と第２の許容運転時間のうち少なくとも第２の許容運転時間（本実施の形態では、第１の許容運転時間と第２の許容運転時間の両方）を、電力需要予測工程で予測された電力需要と熱需要予測工程で予測された湯の需要の少なくとも一方（本実施の形態では、電力需要と熱需要の両方）の需要値に応じて設定する許容運転時間設定工程とを備える燃料電池の運転方法である。
【００７４】
上記構成の燃料電池の運転方法では、許容運転時間設定工程において、電力需要予測工程で予測された電力需要と熱需要予測工程で予測された湯の需要の少なくとも一方（本実施の形態では、電力需要と熱需要の両方）の需要値に応じて、第１の許容運転時間と第２の許容運転時間のうち少なくとも第２の許容運転時間（本実施の形態では、第１の許容運転時間と第２の許容運転時間の両方）を、設定する。
【００７５】
これにより、第１の許容運転時間または第２の許容運転時間のうち選択された何れかを所定の単位期間あたりの最長運転時間とし、基本運転計画と特別運転計画のうち少なくとも特別運転計画に基づいた燃料電池の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【００７６】
なお、本実施の形態の燃料電池システムにおいて、電力需要予測部６と熱需要予測部７と許容運転時間設定部８とはその全部が省略されてもよいし、一部が省略されてもよい。この場合、例えば、電力の需要および熱の需要の少なくともいずれか一方が手入力により設定されてもよいし、許容運転時間が手入力により設定されてもよい。
【００７７】
また、本実施の形態の燃料電池システムの運転方法において、発電電力利用工程と熱回収利用工程と電力需要予測工程と熱需要予測工程と許容運転時間設定工程とはその全部が省略されてもよいし、一部が省略されてもよい。この場合、例えば、電力の需要および熱の需要の少なくともいずれか一方が手入力により設定されてもよいし、許容運転時間が手入力により設定されてもよい。
【００７８】
（実施の形態２）
図３は、本発明の実施の形態２における燃料電池システムのブロック図である。
【００７９】
本発明の燃料電池システムと、本発明の燃料電池の運転方法を適用する燃料電池システムは、水素と酸素との電気化学的反応により発電する燃料電池を備え、燃料電池により発電した電力を家庭で使用できる形態に変換して家庭で使用できると共に、発電時に発生する熱を利用して加温した湯を貯めて、その湯を使用でき、予め設定された条件（例えば耐用運転時間が４万時間に達するか、耐用起動回数が４０００回に達するか、機器使用年数が１０年に達するかのいずれか）を満たした場合に停止するものである。
【００８０】
本実施の形態の燃料電池システムは、図３に示すように、水素と酸素との電気化学的反応により発電し、電気と熱を供給する燃料電池１と、燃料電池１の耐用年数（例えば１０年）と耐用起動回数（例えば４０００回）に基づいて所定の単位期間（例えば１日）あたり第１の許容起動回数（例えば１回）の範囲内で燃料電池１を運転するように基本運転計画を作成する基本運転計画作成部２と、耐用年数（例えば１０年）を経過するまでに機器寿命に達するのを承知の上で所定の単位期間（例えば１日）あたり第１の許容起動回数以上の第２の許容起動回数（例えば２回）の範囲内で燃料電池１を運転するように特別運転計画を作成する特別運転計画作成部３と、基本運転計画と特別運転計画の何れかを選択する運転計画選択部４と、運転計画選択部４で選択された運転計画に基づいて燃料電池１を運転する燃料電池運転部５と、家庭で使用する電力の需要を予測する電力需要予測部６と、家庭で使用する湯の需要を予測する熱需要予測部７と、第１の許容起動回数と第２の許容起動回数の両方を、電力需要予測部６で予測された電力需要と熱需要予測部７で予測された湯の需要の両方の需要値に応じて設定する許容起動回数設定部９とを有する。
【００８１】
基本運転計画作成部２と、特別運転計画作成部３と、運転計画選択部４と、燃料電池運転部５と、電力需要予測部６と、熱需要予測部７と、許容起動回数設定部９とは、例えば、単一または複数の制御装置により実現されうる。制御装置は、例えば、マイクロコントローラ、ＭＰＵ，ＰＬＣ（Programmable Logic Controller）、論理回路等で構成することができ、あるいはこれらの装置に、ＲＡＭやＲＯＭなどの記憶装置が付加されてもよい。制御装置は、集中制御する単独の制御器によって構成されていてもよく、互いに協働して分散制御する複数の制御器によって構成されていてもよい。例えば、基本運転計画作成部２と、特別運転計画作成部３と、運転計画選択部４と、燃料電池運転部５と、電力需要予測部６と、熱需要予測部７と、許容起動回数設定部９とが、全体として１個の制御器によって構成されていてもよいし、個々の部に対応するように１個ずつ制御器が設けられていてもよいし、各部の任意の組合せについて単独のまたは複数の制御器が設けられていてもよい。
【００８２】
図４は、本発明の実施の形態２における燃料電池システムにおける燃料電池の運転方法を示す工程図である。
【００８３】
図４に示すように、本実施の形態の燃料電池システムの燃料電池の運転方法は、水素と酸素との電気化学的反応により発電し、電気と熱を供給する燃料電池１の耐用年数（例えば１０年）と耐用起動回数（例えば４０００回）に基づいて所定の単位期間（例えば１日）あたり第１の許容起動回数（例えば１回）の範囲内で燃料電池１を運転するように基本運転計画を作成する基本運転計画作成工程と、耐用年数（例えば１０年）を経過するまでに機器寿命に達するのを承知の上で所定の単位期間（例えば１日）あたり第１の許容起動回数以上の第２の許容起動回数（例えば２回）の範囲内で燃料電池１を運転するように特別運転計画を作成する特別運転計画作成工程と、基本運転計画と特別運転計画の何れかを選択する運転計画選択工程と、運転計画選択工程で選択された運転計画に基づいて燃料電池１を運転する燃料電池運転工程と、燃料電池１により発電した電力を家庭で使用できる形態に変換して家庭で使用する発電電力利用工程（図示せず）と、家庭で使用する電力の需要を予測する電力需要予測工程と、発電時に発生する熱を利用して加温した湯を貯めて、その湯を使用する熱回収利用工程（図示せず）と、家庭で使用する湯の需要を予測する熱需要予測工程と、第１の許容起動回数と第２の許容起動回数の両方を、電力需要予測工程で予測された電力需要と熱需要予測工程で予測された湯の需要に応じて設定する許容起動回数設定工程とを備える。
【００８４】
例えば、燃料電池１の耐用運転時間を４万時間、耐用起動回数を４０００回、また一般に設備機器として必要な耐用年数を１０年としたとき、１日あたりに許される許容運転時間は平均で１１時間、起動回数１回という事になる。
【００８５】
基本運転計画作成部２は、この１１時間を上限として、その日家庭で使われる電力および熱の負荷パターン（電力の需要および湯の需要）を予測し、最もエネルギーメリットの得られる運転時間を決定する。かかる基本運転計画の作成方法は、公知の方法（例えば、上記の特許文献１あるいは特許文献２に記載の方法）を用いることができるので、詳細な記載を省略する。
【００８６】
所で一般に家庭で電力負荷が大きいのは家事を開始する朝から午前中にかけてと夕方から夜にかけてと言われている。仮に午前６時から運転を開始したとして、許容運転時間が１１時間だとすれば、運転を終了するのは午後５時になる（起動回数が１日１回なので、途中で停止させる事が出来ない）。
【００８７】
この様に夕方から夜にかけての電力負荷ピーク時に運転ができないと、たとえ耐用年数１０年を実現する為とはいえ多くの電力を使っているときに発電が出来ないこととなり、使用者が機器に対して大いに不満やストレスを感じる可能性がある。
【００８８】
そこで、本実施の形態の燃料電池システムでは、１日あたりの許容起動回数を例えば２回に緩和し、この１日２回を上限として、その日家庭で使われる電力および熱の負荷パターンを予測し、最もエネルギーメリットの得られる運転時間を決定する特別運転計画作成部３を設けた。かかる特別運転計画の作成方法は、具体的には例えば、許容運転時間を２０時間とした場合の基本運転計画の作成方法と同様とすることができる。よって、詳細な説明を省略する。
【００８９】
但し、特別運転計画作成部３により作成された１日あたり２回の範囲内で燃料電池１を運転する特別運転計画に基づいた燃料電池１の運転を常時使用すると、耐用起動回数が４０００回であるのに、１日あたりの起動回数が最大で２回となることから機器寿命が大幅に短くなってしまう。
【００９０】
そして機器の基本仕様を、基本運転計画作成部２により作成された１日あたり１回の起動回数で燃料電池１を運転する基本運転計画に基づいた燃料電池１の運転を選択するものとし、お客様からの求めに応じて設置者が、機器寿命が短くなることへの了承を得た上で、特別運転計画に基づいた燃料電池１の運転を選択する設定とする。具体的には、例えばタッチパネルの表示部などに、「特別運転計画に基づいた運転を行うと機器寿命が短くなる」旨の表示をすることが考えられる。この場合、たとえ機器寿命が短くなるとしても特別運転計画に基づく運転を選択するか否かを選択するボタン（例えば、「選択する」および「選択しない」）を表示を表示し、ユーザがいずれか一方のボタンを押すことで、特別運転計画に基づく運転を行うか否かが決定されてもよい。機器寿命が短くなることへの了承を得ることは、必須ではなく、かかる了承を得ずに特別運転計画の選択が可能な構成としてもよい。
【００９１】
基本運転計画と特別運転計画とは、それぞれ例えば、１個の起動時刻と１個の停止時刻とで構成され、あるいは２個の起動時刻と２個の停止時刻とで構成される。燃料電池運転工程では、起動時刻において燃料電池１を起動し、停止時刻において燃料電池１の運転を停止する。
【００９２】
以上のように本実施の形態の燃料電池システムは、水素と酸素との電気化学的反応により発電し、電気と熱を供給する燃料電池１を備え、予め設定された条件（例えば耐用運転時間が４万時間に達するか、耐用起動回数が４０００回に達するか、機器使用年数が１０年に達するかのいずれか）を満たした場合に停止する燃料電池システムであって、燃料電池１の耐用年数（例えば１０年）と耐用起動回数（例えば４０００回）に基づいて所定の単位期間（例えば１日）あたり第１の許容起動回数（例えば１回）で燃料電池１を運転するように基本運転計画を作成する基本運転計画作成部２と、耐用年数（例えば１０年）を経過するまでに機器寿命に達するのを承知の上で所定の単位期間（例えば１日）あたり第１の許容起動回数以上の第２の許容起動回数（例えば２回）の範囲内で燃料電池１を運転するように特別運転計画を作成する特別運転計画作成部３と、基本運転計画と特別運転計画の何れかを選択する運転計画選択部４と、運転計画選択部４で選択された運転計画に基づいて燃料電池１を運転する燃料電池運転部５とを有する燃料電池システムである。
【００９３】
上記構成の燃料電池システムでは、基本運転計画作成部２により燃料電池１の耐用年数（例えば１０年）と耐用起動回数（例えば４０００回）に基づいて所定の単位期間（例えば１日）あたり第１の許容起動回数（例えば１回）の範囲内で燃料電池１を運転するように基本運転計画が作成され、特別運転計画作成部３により所定の単位期間（例えば１日）あたり第１の許容起動回数（例えば１回）以上の第２の許容起動回数（例えば２回）の範囲内で燃料電池１を運転するように特別運転計画が作成され、例えば設置者（サービスマン）が運転計画選択部４により基本運転計画を選択すれば、燃料電池運転部５により基本運転計画に基づいて燃料電池１が運転され、耐用年数（例えば１０年）を経過するまでに機器寿命に達するのをユーザーが承知の上で設置者（サービスマン）が運転計画選択部４により特別運転計画を選択すれば、燃料電池運転部５により特別運転計画に基づいて燃料電池１が運転される。
【００９４】
そのため、基本運転計画に基づいた燃料電池１の運転に対して、発電機会が少なくユーザーが不満に感じたとき、耐用年数（例えば１０年）が経過する前に機器寿命に達することをユーザーが理解した上で所定の単位期間（例えば１日）あたり複数回（例えば２回）の運転機会を有する特別運転計画に基づいた燃料電池１の運転を選択する余地があるので、よりユーザーの選択範囲が広がりストレスを感じることがない。
【００９５】
また、本実施の形態の燃料電池システムは、燃料電池１により発電した電力を家庭で使用できる形態に変換して家庭で使用できると共に、発電時に発生する熱を利用して加温した湯を貯めて、その湯を使用できるものであり、家庭で使用する電力の需要を予測する電力需要予測部６と、家庭で使用する湯の需要を予測する熱需要予測部７と、第１の許容起動回数と第２の許容起動回数のうち少なくとも第２の許容起動回数（本実施の形態では、第１の許容起動回数と第２の許容起動回数の両方）を、電力需要予測部６で予測された電力需要と熱需要予測部７で予測された湯の需要の少なくとも一方（本実施の形態では、電力需要と熱需要の両方）の需要値に応じて設定する許容起動回数設定部９とを有する燃料電池システムである。
【００９６】
上記構成の燃料電池システムでは、電力需要予測部６が予測した電力需要と熱需要予測部７が予測した湯の需要の少なくとも一方（本実施の形態では、電力需要と熱需要の両方）の需要値に応じて、許容起動回数設定部９が、第１の許容起動回数と第２の許容起動回数のうち少なくとも第２の許容起動回数（本実施の形態では、第１の許容起動回数と第２の許容起動回数の両方）を設定する。
【００９７】
これにより、第１の許容起動回数または第２の許容起動回数のうち選択された何れかを所定の単位期間（例えば１日）あたりの最大起動回数とし、基本運転計画と特別運転計画のうち少なくとも特別運転計画に基づいた燃料電池１の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【００９８】
以上のように本実施の形態の燃料電池システムにおける燃料電池の運転方法は、水素と酸素との電気化学的反応により発電し、電気と熱を供給する燃料電池１の耐用年数（例えば１０年）と耐用起動回数（例えば４０００回）に基づいて所定の単位期間（例えば１日）あたり第１の許容起動回数（例えば１回）の範囲内で燃料電池１を運転するように基本運転計画を作成する基本運転計画作成工程と、耐用年数（例えば１０年）を経過するまでに機器寿命に達するのを承知の上で所定の単位期間（例えば１日）あたり第１の許容起動回数以上の第２の許容起動回数（例えば２回）の範囲内で燃料電池１を運転するように特別運転計画を作成する特別運転計画作成工程と、基本運転計画と特別運転計画の何れかを選択する運転計画選択工程と、運転計画選択工程で選択された運転計画に基づいて燃料電池１を運転する燃料電池運転工程とを備える燃料電池の運転方法である。
【００９９】
上記構成の燃料電池１の運転方法では、基本運転計画作成工程において燃料電池１の耐用年数（例えば１０年）と耐用起動回数（例えば４０００回）に基づいて所定の単位期間（例えば１日）あたり第１の許容起動回数（例えば１回）の範囲内で燃料電池１を運転するように基本運転計画が作成され、特別運転計画作成工程において所定の単位期間（例えば１日）あたり第１の許容起動回数以上の第２の許容起動回数（例えば２回）の範囲内で燃料電池１を運転するように特別運転計画が作成され、例えば設置者（サービスマン）が運転計画選択工程で基本運転計画を選択すれば、燃料電池運転工程で基本運転計画に基づいて燃料電池１が運転され、耐用年数（例えば１０年）を経過するまでに機器寿命に達するのをユーザーが承知の上で設置者（サービスマン）が運転計画選択工程で特別運転計画を選択すれば、燃料電池運転工程で特別運転計画に基づいて燃料電池１が運転される。
【０１００】
そのため、基本運転計画に基づいた燃料電池の運転に対して、発電機会が少なくユーザーが不満に感じたとき、耐用年数（例えば１０年）が経過する前に機器寿命に達することをユーザーが理解した上で所定の単位期間（例えば１日）あたり複数回（例えば２回）の運転機会を有する特別運転計画に基づいた燃料電池１の運転を選択する余地があるので、よりユーザーの選択範囲が広がりストレスを感じることがない。
【０１０１】
また、本実施の形態の燃料電池システムにおける燃料電池の運転方法は、燃料電池１により発電した電力を家庭で使用できる形態に変換して家庭で使用する発電電力利用工程と、家庭で使用する電力の需要を予測する電力需要予測工程と、発電時に発生する熱を利用して加温した湯を貯めて、その湯を使用する熱回収利用工程と、家庭で使用する湯の需要を予測する熱需要予測工程と、第１の許容起動回数と第２の許容起動回数のうち少なくとも第２の許容起動回数（本実施の形態では、第１の許容起動回数と第２の許容起動回数の両方）を、電力需要予測工程で予測された電力需要と熱需要予測工程で予測された湯の需要の少なくとも一方（本実施の形態では、電力需要と熱需要の両方）の需要値に応じて設定する許容起動回数設定工程とを備える燃料電池の運転方法である。
【０１０２】
上記構成の燃料電池の運転方法では、許容起動回数設定工程において、電力需要予測工程で予測された電力需要と熱需要予測工程で予測された湯の需要の少なくとも一方（本実施の形態では、電力需要と熱需要の両方）の需要値に応じて、第１の許容起動回数と第２の許容起動回数のうち少なくとも第２の許容起動回数（本実施の形態では、第１の許容起動回数と第２の許容起動回数の両方）を、設定する。
【０１０３】
これにより、第１の許容起動回数または第２の許容起動回数のうち選択された何れかを所定の単位期間あたりの最大起動回数とし、基本運転計画と特別運転計画のうち少なくとも特別運転計画に基づいた燃料電池の運転は、燃料電池システムを設置した家庭の電力需要または熱需要に応じたものとなるので、その家庭の電力および熱エネルギー負荷パターンに基づいて最も効率の高い運転計画を実行するシステムを構成することができる。
【０１０４】
なお、本実施の形態の燃料電池システムにおいて、電力需要予測部６と熱需要予測部７と許容起動回数設定部９とはその全部が省略されてもよいし、一部が省略されてもよい。この場合、例えば、電力の需要および熱の需要の少なくともいずれか一方が手入力により設定されてもよいし、許容起動回数が手入力により設定されてもよい。
【０１０５】
また、本実施の形態の燃料電池システムの運転方法において、発電電力利用工程と熱回収利用工程と電力需要予測工程と熱需要予測工程と許容起動回数設定工程とはその全部が省略されてもよいし、一部が省略されてもよい。この場合、例えば、電力の需要および熱の需要の少なくともいずれか一方が手入力により設定されてもよいし、許容起動回数が手入力により設定されてもよい。
【０１０６】
（実施の形態３）
図５は、本発明の実施の形態３における燃料電池システムの構成図である。
【０１０７】
図５に示すように、本実施の形態の燃料電池システムは、実施の形態１または２の構成において、燃料電池本体１０（実施の形態１または２の燃料電池システム）と、燃料電池本体１０に内蔵したメンテ用操作部１１（operating portion for maintenance）と、屋内に配置され燃料電池本体１０と電気的に接続されたリモコン部１２（remotecontrol portion）を有するものである。
【０１０８】
ここで、実施の形態１または２に記した基本運転計画作成部２および特別運転計画作成部３を選択する運転計画選択部４は、メンテ用操作部１１に配置することとする。なぜなら特別運転計画作成部３は、お客様からの求めに応じて設置者が、機器寿命が短くなることへの了承を得たうえで設定する事が必須である為、お客様自らが設定できない位置に配置する必要がある。
【０１０９】
お客様が通常操作するリモコン部１２は屋内に配置され、設置者が通常操作するメンテ用操作部１１は屋外に配置されるので、誤って基本運転計画作成部２が特別運転計画作成部３に切り替わることがなく、設置者の事前説明の後、設定変更がなされることが徹底できる。
【０１１０】
また一般にお客様は設置者が自宅に上がるのを好まないが、メンテ用操作部１１を屋外に配置することで、設置者は屋外作業のみで設定変更を行える。
【０１１１】
以上のように本実施の形態の燃料電池システムは、実施の形態１または２の構成における運転計画選択部４を、燃料電池本体１０の本体設定部（メンテ用操作部１１）に備えた燃料電池システムである。
【０１１２】
これにより、通常、屋外に設置され、ユーザーが操作する可能性が極めて少ない燃料電池本体１０の本体設定部（メンテ用操作部１１）で、基本運転計画に基づいた燃料電池１の運転を特別運転計画に基づいた燃料電池１の運転に、または、その逆に変更することができる。
【０１１３】
また、運転計画選択部４を、燃料電池本体１０の本体設定部（メンテ用操作部１１）に備えたので、ユーザーが、運転計画選択部４を操作する可能性が極めて少なくなり、ユーザーが、基本運転計画に基づいた燃料電池１の運転に対して所定の単位期間（例えば１日）あたりの燃料電池１の運転時間（例えば最長１１時間）または所定の単位期間（例えば１日）あたりの燃料電池の起動回数（例えば１回）に不満を感じたときに、設置者がユーザーに、運転時間や起動回数の制限を緩和することは技術的に可能であるが制限を緩和すれば耐用年数（例えば１０年）が経過する前に機器寿命に達することを説明し、ユーザーがそれを承知（納得）した上で、設置者が燃料電池本体１０の本体設定部（メンテ用操作部１１）の運転計画選択部４により特別運転計画に基づいた燃料電池１の運転に変更することで、予定より早く機器寿命に達して停止した場合のユーザーの不満やトラブルの発生を防止できる。
【０１１４】
（実施の形態４）
図６は、本発明の実施の形態４における燃料電池システムの構成図である。
【０１１５】
図６に示すように、本実施の形態の燃料電池システムは、実施の形態１または２の構成において、燃料電池本体１０（実施の形態１または２の燃料電池システム）と、屋内に配置され燃料電池本体１０と電気的に接続されたリモコン部１２を有するものである。
【０１１６】
ここで、実施の形態１または２に記した基本運転計画作成部２および特別運転計画作成部３を選択する運転計画選択部４は、リモコン部１２に配置することが可能である。但し、特別運転計画作成部３は、お客様からの求めに応じて設置者が、機器寿命が短くなることへの了承を得たうえで設定する為、通常お客様が操作できないようにする必要がある。例として運転計画選択画面に入る際のパスワード認証や、特殊操作（スイッチの多重押しなど）などが上げられる。
【０１１７】
本構成により、実施の形態３で上げたのと同等の効果を得られる上に、特別なメンテ用操作部１１を設けることなく、より簡易な構成で運転計画選択部４を構成することが出来る。
【０１１８】
以上のように本実施の形態の燃料電池システムは、実施の形態１または２の構成における運転計画選択部４を、屋内に設置するリモコン部（リモコン部１２）に備えた燃料電池システムである。
【０１１９】
これにより、屋内に設置するリモコン部（リモコン部１２）で、基本運転計画に基づいた燃料電池１の運転を特別運転計画に基づいた燃料電池１の運転に、または、その逆に変更することができる。
【０１２０】
なお、運転計画選択部４による選択は、リモコン部（リモコン部１２）におけるユーザーが通常操作で選択できるようにはせず、設置者のみが特殊操作により選択できるようにすることが望ましい。そのようにすることにより、ユーザーが、機器寿命が短くなることを理解していない状態で特別運転計画に基づいた燃料電池１の運転に変更してしまうことを防止でき、ユーザーが、基本運転計画に基づいた燃料電池１の運転に対して所定の単位期間（例えば１日）あたりの燃料電池の運転時間（例えば最長１１時間）または所定の単位期間（例えば１日）あたりの燃料電池の起動回数（例えば１回）に不満を感じたときに、設置者がユーザーに、運転時間や起動回数の制限を緩和することは技術的に可能であるが制限を緩和すれば耐用年数（例えば１０年）が経過する前に機器寿命に達することを説明し、ユーザーがそれを承知（納得）した上で、設置者がリモコン部（リモコン部１２）の運転計画選択部４により特別運転計画に基づいた燃料電池１の運転に変更することで、予定より早く機器寿命に達して停止した場合のユーザーの不満やトラブルの発生を防止できる。
【産業上の利用可能性】
【０１２１】
本発明によれば、ユーザーが従来の基本運転計画に基づいた燃料電池の運転では発電時間が短く不満であり、運転可能な年数は短くても構わないのでもっと発電機会を増やしたいと言うニーズに応えることが出来る。また、運転可能な年数は短くても構わないので、いつでも受け付けてほしいと言うユーザーには、その日の発電が終了した後も発電指示の受付が可能なシステムを提供することが出来る。そのため、例えば、業務用のシステムなど、通常より運転可能な年数が短くなることが許容される場合や、運転可能な年数が長くなることよりも一日中発電していることをユーザーが優先する場合の燃料電池システムに適している。
【符号の説明】
【０１２２】
１  燃料電池
２  基本運転計画作成部
３  特別運転計画作成部
４  運転計画選択部
５  燃料電池運転部
６  電力需要予測部
７  熱需要予測部
８  許容運転時間設定部
９  許容起動回数設定部
１０  燃料電池本体
１１  メンテ用操作部
１２  リモコン部
【図１】
2011102147.tif 000003
【図２】
2011102147.tif 000004
【図３】
2011102147.tif 000005
【図４】
2011102147.tif 000006
【図５】
2011102147.tif 000007
【図６】
2011102147.tif 000008
【手続補正書】
【提出日】平成24年8月10日(2012.8.10)
【手続補正１】
【補正対象書類名】特許請求の範囲
【補正対象項目名】請求項１
【補正方法】変更
【補正の内容】
【請求項１】
電気と熱を供給する燃料電池ユニットを備えた燃料電池システムの運転方法であって、
運転時間が耐用運転時間に達した場合、起動回数が耐用起動回数に達した場合、及び、機器使用年数が耐用年数に達した場合のうちの少なくとも１つの場合に、前記燃料電池システムの運転を停止する工程と、
前記燃料電池ユニットの前記耐用年数と、前記耐用運転時間および前記耐用起動回数の少なくともいずれか一方と、に基づいて、所定の単位期間につき、第１の許容運転時間および第１の許容起動回数の少なくとも一方の範囲内で前記燃料電池ユニットを運転するように基本運転計画を作成する基本運転計画作成工程と、
所定の単位期間につき、前記第１の許容運転時間よりも長く、前記耐用年数が経過するまでに運転時間が前記耐用運転時間に達するように設定される第２の許容運転時間、および、前記第１の許容起動回数よりも大きく、前記耐用年数が経過するまでに起動回数が前記耐用起動回数に達するように設定される第２の許容起動回数の少なくとも一方の範囲内で前記燃料電池ユニットを運転するように特別運転計画を作成する特別運転計画作成工程と、
前記基本運転計画と前記特別運転計画の何れかを選択する運転計画選択工程と、
前記運転計画選択工程で選択された運転計画に基づいて前記燃料電池ユニットを運転する燃料電池運転工程と
を備える燃料電池システムの運転方法。
【手続補正２】
【補正対象書類名】特許請求の範囲
【補正対象項目名】請求項５
【補正方法】変更
【補正の内容】
【請求項５】
電気と熱を供給する燃料電池ユニットを備えた燃料電池システムであって、
運転時間が耐用運転時間に達した場合、起動回数が耐用起動回数に達した場合、及び、機器使用年数が耐用年数に達した場合のうちの少なくとも１つの場合に、前記燃料電池システムの運転を停止する運転停止部と、
前記燃料電池ユニットの前記耐用年数と、前記耐用運転時間および前記耐用起動回数の少なくともいずれか一方と、に基づいて、所定の単位期間につき、第１の許容運転時間および第１の許容起動回数の少なくとも一方の範囲内で前記燃料電池ユニットを運転するように基本運転計画を作成する基本運転計画作成部と、
所定の単位期間につき、前記第１の許容運転時間よりも長く、前記耐用年数が経過するまでに運転時間が前記耐用運転時間に達するように設定される第２の許容運転時間、および、前記第１の許容起動回数よりも大きく、前記耐用年数が経過するまでに起動回数が前記耐用起動回数に達するように設定される第２の許容起動回数の少なくとも一方の範囲内で前記燃料電池ユニットを運転するように特別運転計画を作成する特別運転計画作成部と、
前記基本運転計画と前記特別運転計画の何れかを選択する運転計画選択部と、
前記運転計画選択部で選択された運転計画に基づいて前記燃料電池ユニットを運転する燃料電池運転部と、
を有する燃料電池システム。
【国際調査報告】
2011102147.tif 000009
2011102147.tif 000010
2011102147.tif 000011
2011102147.tif 000012